(57)【要約】【課題】誤ってタッチパッドに触れても、意図しない動作を防止すること。【解決手段】カメラ１は、接触位置を検出するタッチパッド２０ａと、タッチパッド２０ａによる検出信号に基づいて所定の動作を行う実行手段２１と、タッチパッド２０ａの表面に設けられ、基準位置を示す基準部と、タッチパッド２０ａの基準部が第１所定時間接触された場合に実行手段２１の動作を許可する制御手段１７と、を備える。【選択図】図３
2013145444.tif 000002
【特許請求の範囲】
【請求項１】
接触位置を検出するタッチパッドと、
前記タッチパッドによる検出信号に基づいて所定の動作を行う実行手段と、
前記タッチパッドの表面に設けられ、基準位置を示す凸形状または凹形状の基準部と、
前記タッチパッドの前記基準部が第１所定時間接触された場合に前記実行手段の動作を許可する制御手段と、
を備えるカメラ。
【請求項２】
請求項１に記載のカメラにおいて、
前記制御手段は、前記実行手段による動作を許可している間に、第２所定時間続けて前記タッチパッドが接触されない場合に前記実行手段による動作を禁止することを特徴とするカメラ。
【請求項３】
請求項２に記載のカメラにおいて、
前記実行手段は、前記タッチパッドの前記基準部と異なる位置が接触された場合に前記所定の動作を行うことを特徴とするカメラ。
【請求項４】
請求項３に記載のカメラにおいて、
前記実行手段は、前記タッチパッドが接触された場合に第１光学部材を移動させることを特徴とするカメラ。
【請求項５】
請求項４に記載のカメラにおいて、
前記タッチパッドの表面に設けられ、前記基準部を挟む２つの位置にそれぞれ設けられた凸形状または凹形状の第１操作部および第２操作部をさらに備え、
前記実行手段は、前記第１操作部または前記第２操作部が接触された場合に前記第１光学部材を移動させることを特徴とするカメラ。
【請求項６】
請求項５に記載のカメラにおいて、
前記実行手段は、前記基準部と、前記第1操作部および前記第２操作部との位置関係に応じて前記第１光学部材の移動方向を異ならせることを特徴とするカメラ。
【請求項７】
請求項５または６に記載のカメラにおいて、
前記タッチパッドの表面に設けられ、前記基準部を挟む２つの位置にそれぞれ設けられた第３操作部および第４操作部をさらに備え、
前記実行手段は、前記第３操作部または前記第４操作部が接触された場合に第２光学部材を移動させることを特徴とするカメラ。
【請求項８】
請求項７に記載のカメラにおいて、
前記実行手段は、前記基準部と、前記第３操作部および前記第４操作部との位置関係に応じて前記第２光学部材の移動方向を異ならせることを特徴とするカメラ。
【請求項９】
請求項５〜８のいずれか一項に記載のカメラにおいて、
前記基準部は、前記操作部との間で高さ、表面粗さ、および凸形状または凹形状の角度の少なくとも１つが異なることを特徴とするカメラ。
【請求項１０】
請求項４に記載のカメラにおいて、
前記実行手段は、前記タッチパッドに対する接触位置の移動方向に応じて前記第１光学部材の移動方向を異ならせることを特徴とするカメラ。
【請求項１１】
請求項１〜１０のいずれか一項に記載のカメラにおいて、
前記タッチパッドは、交換される部材の面に設けられていることを特徴とするカメラ。
【請求項１２】
請求項１〜１１のいずれか一項に記載のカメラにおいて、
前記制御手段が前記実行手段による動作を許可している間に操作情報を表示する表示部材をさらに備えることを特徴とするカメラ。
【請求項１３】
請求項１２に記載のカメラにおいて、
前記表示部材は、前記操作情報のうち、移動する光学部材に対応する表示の態様を他の表示態様と異ならせることを特徴とするカメラ。
【発明の詳細な説明】
【技術分野】
【０００１】
本発明は、カメラに関する。
【背景技術】
【０００２】
カメラ用交換レンズの鏡筒の一部をタッチパッドで構成し、該タッチパッドを接触操作する指の移動速度に応じて焦点位置の粗調整や微調整を行う技術が知られている（特許文献１参照）。
【先行技術文献】
【特許文献】
【０００３】
【特許文献１】特開２００９−１６９２６６号公報
【発明の概要】
【発明が解決しようとする課題】
【０００４】
従来技術では、例えばカメラのホールディング時に誤ってタッチパッド部分に触れてしまうと、焦点調節機構を駆動させてしまうという問題があった。
【課題を解決するための手段】
【０００５】
本発明によるカメラは、接触位置を検出するタッチパッドと、タッチパッドによる検出信号に基づいて所定の動作を行う実行手段と、タッチパッドの表面に設けられ、基準位置を示す基準部と、タッチパッドの基準部が第１所定時間接触された場合に実行手段の動作を許可する制御手段と、を備えることを特徴とする。
【発明の効果】
【０００６】
本発明によるカメラでは、誤ってタッチパッドに触れても、意図しない動作を防止できる。
【図面の簡単な説明】
【０００７】
【図１】本発明の一実施の形態による電子カメラの側面図である。
【図２】図１に例示した電子カメラの背面図である。
【図３】電子カメラの構成を例示するブロック図である。
【図４】ＣＰＵが行うタッチパッドの制御の流れを説明するフローチャートである。
【発明を実施するための形態】
【０００８】
以下、図面を参照して本発明を実施するための形態について説明する。図１は、本発明の一実施の形態による電子カメラ１の側面図である。図１において、カメラ本体１ａの正面（図１の左方）方向へ撮影レンズの鏡胴１ｂが延設されている。鏡胴１ｂの側部において、鏡胴１ｂを構成する円筒面の一部をタッチパッド２０ａで構成する。タッチパッド２０ａで構成する位置は、例えば電子カメラ１を左手でホールドする場合に、該左手親指がかかる位置に対応させる。
【０００９】
タッチパッド２０ａは、二次元状に配した静電容量検出センサ（不図示）を保護シートで覆った操作部材である。タッチパッド２０ａは、静電容量の変化に基づいて指などが触れた接触位置を示す信号を出力する。なお、タッチパッド２０ａは、静電容量検出センサ以外の低抵抗検出センサや表面弾性波検出センサ、感圧センサなどを備えるものであってもよい。
【００１０】
図２は、図１に例示した電子カメラ１の背面図である。カメラ本体１ａの背面には、液晶モニタ１６および複数の押しボタンスイッチが設けられている。本説明では、これらスイッチ群と上述したタッチパッド２０ａを含めて操作部材２０と呼ぶ。液晶モニタ１６には、画像や操作メニューなどが表示される。
【００１１】
本実施形態は、タッチパッド２０ａに触れることによって撮影レンズのフォーカス調節操作やズーム操作によるレンズ駆動を行う点に特徴を有するので、以下はこの点を中心に説明する。
【００１２】
図３は、上述した電子カメラ１の構成を例示するブロック図である。図３において、撮影レンズ１１は、撮像素子１２に被写体像を結像させる。撮影レンズ１１はフォーカシングレンズおよびズームレンズを含む複数のレンズ群で構成されているが、図３では単レンズとして図示している。レンズ駆動部２１は、後述するＣＰＵ１７からの指示によってフォーカシングレンズやズームレンズを光軸Ａｘ方向に進退移動させる。
【００１３】
ＣＰＵ１７は、操作部材２０を構成するシャッターボタン（不図示）の半押し操作に応じてオートフォーカス（ＡＦ）処理を行い、撮影レンズ１１による焦点位置を自動調節させる。フォーカシングレンズの駆動は、ＣＰＵ１７から指示を受けたレンズ駆動部２１が行う。ＣＰＵ１７はさらに、タッチパッド２０ａからの検出信号に応じてフォーカスレンズを駆動する指示をレンズ駆動部２１へ送る。本例では、タッチパッド２０ａを触ってフォーカス微調整を行う。
【００１４】
なお、ＡＦ処理を行わない設定を行って、タッチパッド２０ａに触れることでマニュアルフォーカス調節によるフォーカシングレンズの駆動を行うようにしてもよい。ＡＦ処理を行うか否かの設定は、例えばメニュー操作によって行う。
【００１５】
ズームレンズは、タッチパッド２０ａからの検出信号に応じて光軸Ａｘ方向に進退移動するように構成されている。ＣＰＵ１７は、タッチパッド２０ａからの検出信号に応じてズームレンズを駆動する指示をレンズ駆動部２１へ送る。これによって撮影画角が変化する。
【００１６】
撮像素子１２は、ＣＭＯＳイメージセンサなどによって構成される。撮像素子１２は、結像された被写体像をアナログ撮像信号に光電変換する。Ａ／Ｄ変換部１３は、光電変換信号をデジタルデータに変換する。バッファメモリ１４は、画像データを一時的に格納する。画像処理部１５は、ＣＰＵ１７からの指示によってデジタル画像データに所定の画像処理を施す。
【００１７】
液晶モニタ１６は、ＣＰＵ１７からの指示に応じて、画像や操作メニュー画面を表示する。不揮発性メモリ１８は、ＣＰＵ１７が実行するプログラムや、実行処理に必要なデータなどを格納する。不揮発性メモリ１８が格納するプログラムやデータの内容は、ＣＰＵ１７からの指示によって追加、変更が可能に構成されている。ＣＰＵ１７は、制御プログラムを実行してカメラ各部に対する種々の制御を行う。
【００１８】
画像処理部１５はさらに、画像データを格納した所定形式の画像ファイルを生成する。カードインターフェース(I/F)部１９は、ＣＰＵ１７からの指示に基づいて画像ファイルをメモリカード５０に記録し、また、メモリカード５０に記録されている画像ファイルを読出す。
【００１９】
メモリカード５０は、図示しないカードスロットに着脱自在に取り付けられる記録媒体である。ＣＰＵ１７は、カードインターフェース(I/F)部１９によってメモリカード５０から読出された画像ファイルに基づいて、液晶モニタ１６に撮影画像を再生表示させる。操作部材２０は、上記タッチパッド２０ａやメニュースイッチ、シャッターボタンなどを含み、各部材の操作に応じた信号をＣＰＵ１７へ送出する。
【００２０】
＜ホームポジション＞
本実施形態では、タッチパッド２０ａに「ホームポジション」の概念を導入する。図１において、タッチパッド２０ａの表面の保護シートには、ユーザーが目視せずに操作できるように、ガイドとなる複数の凸部１０１、１０２、１０３が形成されている。本例では、中央の凸部１０１をホームポジション用として用い、ホームポジションを挟んで光軸Ａｘ方向に位置する２つの凸部１０３をズーム操作用として用いる。また、ホームポジションを挟んで鏡胴の円周方向に位置する２つの凸部１０２をフォーカス操作用として用いる。
【００２１】
ホームポジション用凸部１０１と、フォーカス操作用凸部１０２、ズーム操作用凸部１０３とは、ユーザーが指の感触から判別できるようにそれぞれ異なる形状をしている。さらに、ホームポジション用凸部１０１は、他の凸部１０２、１０３より感触の相違が明瞭になるよう凸形状の高さを高くしたり、凸形状の角度Ｒを小さく（角張らせる）したり、表面の粗さを異ならせたりする。なお、ズーム操作用凸部１０３とフォーカス操作用凸部１０２との間で機能を入れ替え、２つの凸部１０３をフォーカス操作用として用い、２つの凸部１０２をズーム操作用として用いる構成にしてもよい。また、これら凸部１０２、１０３の機能の入れ替えは、ユーザーによるメニュー操作に基づいて行うようにしてもよい。さらに、凸形状の各凸部の代わりに、凹形状の凹部として構成してもよく、機能ごとに凹凸を分けて混在させてもよい。
【００２２】
＜タッチパッド制御＞
タッチパッド２０ａは、触れるだけで検出信号を送出するので、誤って触れた場合でもＣＰＵ１７がズーム操作やフォーカス操作と判断してしまうおそれがある。そこで、本実施形態のＣＰＵ１７は、以下のようにズーム操作およびフォーカス操作に伴うレンズ駆動の有効／無効を切替え制御する。
【００２３】
図４は、ＣＰＵ１７が行うタッチパッド２０ａの制御の流れを説明するフローチャートである。ＣＰＵ１７は、電子カメラ１が電源オンされている場合に図４に例示する処理を繰り返し実行する。
【００２４】
図４のステップＳ１０において、ＣＰＵ１７は「ホームポジション」検知を行う。ユーザーがホームポジション用凸部１０１を所定時間（例えば２秒）継続して触れた場合に、フォーカス操作やズーム操作に伴うレンズ駆動を許可するためである。ＣＰＵ１７は、ホームポジション用凸部１０１に対する接触を示す信号がタッチパッド２０ａから入力された場合にステップＳ１０を肯定判定してステップＳ２０へ進む。ＣＰＵ１７は、ホームポジション用凸部１０１に対する接触を示す信号が入力されない場合には、ステップＳ１０を否定判定して当該判定処理を繰り返す。
【００２５】
ステップＳ２０において、ＣＰＵ１７は、ホームポジション用凸部１０１に対する接触操作が所定時間継続されたか否かを判定する。ＣＰＵ１７は、接触された状態で上記２秒が経過した場合にステップＳ２０を肯定判定してステップＳ３０へ進む。ＣＰＵ１７は、接触が上記２秒に満たない場合には、ステップＳ２０を否定判定してステップＳ１０へ戻る。ステップＳ１０へ戻る場合は、フォーカス操作やズーム操作に伴うレンズ駆動を許可しない。
【００２６】
ステップＳ３０において、ＣＰＵ１７は、フォーカス操作およびズーム操作を有効化してステップＳ４０へ進む。これにより、フォーカス操作やズーム操作に伴うレンズ駆動が許可される。ステップＳ４０において、ＣＰＵ１７は、液晶モニタ１６に操作ガイドを表示させてステップＳ５０へ進む。図２において、液晶モニタ１６に表示されるライブビュー画像に重ねて、操作ガイド１０５が表示されている。操作ガイド１０５は、指を動かす方向と許可しているレンズ駆動との関係を、アイコンや図形などで模式的に表したものである。
【００２７】
図２の操作ガイド１０５は、指を被写体側へ動かすとズームアップする「ズームＴ移動」と、指をカメラ本体１ａ側へ動かすとズームダウンする「ズームＷ移動」とを例示する。また、図２の操作ガイド１０５は、指を上向きに動かすと遠方の被写体にピントを合わせる「フォーカス遠距離移動」と、指を下向きに動かすと近傍の被写体にピントを合わせる「フォーカス近距離移動」とを例示する。
【００２８】
ＣＰＵ１７は、操作ガイド１０５を液晶モニタ１６に表示することにより、タッチパッド２０ａによるズーム操作やフォーカス操作に伴うレンズ駆動が許可されていることをユーザーに対して知らせる。図４のステップＳ５０において、ＣＰＵ１７はタッチパッド検知を行う。ユーザーがタッチパッド２０ａに接触しない状態で所定時間（例えば５秒）が経過した場合には、フォーカス操作やズーム操作に伴うレンズ駆動を禁止するためである。ＣＰＵ１７は、ホームポジション用凸部１０１、フォーカス操作用凸部１０２、およびズーム操作用凸部１０３のいずれかに対する接触を示す信号がタッチパッド２０ａから入力された場合にステップＳ５０を肯定判定してステップＳ６０へ進む。ＣＰＵ１７は、タッチパッド２０ａに対する接触を示す信号が入力されない場合には、ステップＳ５０を否定判定してステップＳ１４０へ進む。
【００２９】
ステップＳ１４０において、ＣＰＵ１７は、タッチパッド２０ａが接触操作されない状態が所定時間継続されたか否かを判定する。ＣＰＵ１７は、接触されずに上記５秒が経過した場合にステップＳ１４０を肯定判定してステップＳ１５０へ進む。ＣＰＵ１７は、非接触状態が上記５秒に満たない場合には、ステップＳ１４０を否定判定してステップＳ５０へ戻る。
【００３０】
ステップＳ１５０において、ＣＰＵ１７は、フォーカス操作やズーム操作を無効化してステップＳ１６０へ進む。これにより、フォーカス操作やズーム操作に伴うレンズ駆動が禁止される。ステップＳ１６０において、ＣＰＵ１７は、液晶モニタ１６の操作ガイドを非表示にしてステップＳ１０へ戻る。ＣＰＵ１７は、液晶モニタ１６における操作ガイド１０５（図２）の表示を止めることで、タッチパッド２０ａによるズーム操作やフォーカス操作に伴うレンズ駆動が禁止されていることをユーザーに対して知らせる。
【００３１】
ステップＳ６０において、ＣＰＵ１７は、タッチパッド２０ａに対する接触操作に基づいて「ズームＴ移動」を検知したか否かを判定する。ＣＰＵ１７は、タッチパッド２０ａの検出信号から「ズームＴ移動」を判断した場合にステップＳ６０を肯定判定してステップＳ１００へ進む。ＣＰＵ１７は、タッチパッド２０ａの検出信号から「ズームＴ移動」を判断しない場合にはステップＳ６０を否定判定し、ステップＳ７０へ進む。
【００３２】
ステップＳ１００において、ＣＰＵ１７はレンズ駆動部２１へ指示を送り、ズームレンズを望遠側へ所定量移動させてステップＳ５０へ戻る。
【００３３】
ステップＳ７０において、ＣＰＵ１７は、タッチパッド２０ａに対する接触操作に基づいて「ズームＷ移動」を検知したか否かを判定する。ＣＰＵ１７は、タッチパッド２０ａの検出信号から「ズームＷ移動」を判断した場合にステップＳ７０を肯定判定してステップＳ１１０へ進む。ＣＰＵ１７は、タッチパッド２０ａの検出信号から「ズームＷ移動」を判断しない場合にはステップＳ７０を否定判定し、ステップＳ８０へ進む。
【００３４】
ステップＳ１１０において、ＣＰＵ１７はレンズ駆動部２１へ指示を送り、ズームレンズを広角側へ所定量移動させてステップＳ５０へ戻る。
【００３５】
ステップＳ８０において、ＣＰＵ１７は、タッチパッド２０ａに対する接触操作に基づいて「フォーカス遠距離移動」を検知したか否かを判定する。ＣＰＵ１７は、タッチパッド２０ａの検出信号から「フォーカス遠距離移動」を判断した場合にステップＳ８０を肯定判定してステップＳ１２０へ進む。ＣＰＵ１７は、タッチパッド２０ａの検出信号から「フォーカス遠距離移動」を判断しない場合にはステップＳ８０を否定判定し、ステップＳ９０へ進む。
【００３６】
ステップＳ１２０において、ＣＰＵ１７はレンズ駆動部２１へ指示を送り、フォーカスレンズを遠距離側へ所定量移動させてステップＳ５０へ戻る。
【００３７】
ステップＳ９０において、ＣＰＵ１７は、タッチパッド２０ａに対する接触操作に基づいて「フォーカス近距離移動」を検知したか否かを判定する。ＣＰＵ１７は、タッチパッド２０ａの検出信号から「フォーカス近距離移動」を判断した場合にステップＳ９０を肯定判定してステップＳ１３０へ進む。ＣＰＵ１７は、タッチパッド２０ａの検出信号から「フォーカス近距離移動」を判断しない場合にはステップＳ９０を否定判定し、ステップＳ５０へ戻る。
【００３８】
ステップＳ１３０において、ＣＰＵ１７はレンズ駆動部２１へ指示を送り、フォーカスレンズを近距離側へ所定量移動させてステップＳ５０へ戻る。
【００３９】
以上説明した実施形態によれば、次の作用効果が得られる。
（１）電子カメラ１は、接触位置を検出するタッチパッド２０ａと、タッチパッド２０ａによる検出信号に基づいてレンズ駆動を行うレンズ駆動部２１と、タッチパッド２０ａの表面に設けられ、ホームポジションを示すホームポジション用凸部１０１と、タッチパッド２０ａのホームポジション用凸部１０１が２秒間接触された場合にレンズ駆動部２１のレンズ駆動を許可するＣＰＵ１７と、を備えるようにした。これにより、ユーザーが誤ってタッチパッド２０ａに触れても、意図しないレンズ駆動を防止できる。
【００４０】
（２）上記（１）の電子カメラ１において、ＣＰＵ１７は、レンズ駆動部２１によるレンズ駆動を許可している間に、５秒間続けてタッチパッド２０ａが接触されない場合にはレンズ駆動部２１によるレンズ駆動を禁止するようにした。自動的に禁止状態へ戻すので、使い勝手がよい。レンズ駆動が終了した以降にユーザーが誤ってタッチパッド２０ａに触れても、意図しないレンズ駆動を防止できる。
【００４１】
（３）上記（２）の電子カメラ１において、レンズ駆動部２１は、タッチパッド２０ａのホームポジション用凸部１０１と異なる凸部１０２、１０３が接触された場合にレンズ駆動を行うようにしたので、接触された凸部１０２、凸部１０３に応じて、異なるレンズ駆動が可能になる。
【００４２】
（４）上記（３）の電子カメラ１において、レンズ駆動部２１は、タッチパッド２０ａが接触された場合にフォーカスレンズを移動させるので、ユーザーは、タッチパッド２０ａを見ないで行う接触操作によって、フォーカスレンズ駆動を指示できる。
【００４３】
（５）上記（４）の電子カメラ１において、タッチパッド２０ａの表面に設けられ、ホームポジション用凸部１０１を挟む２つの位置にそれぞれ設けられたフォーカス操作用凸部１０２をさらに備え、レンズ駆動部２１は、フォーカス操作用凸部１０２が接触された場合にフォーカスレンズを移動させるので、ユーザーは、指先の感触をたよりに、タッチパッド２０ａを見ないで行う接触操作によって、フォーカスレンズ駆動をさせることができる。
【００４４】
（６）上記（５）の電子カメラ１において、レンズ駆動部２１は、ホームポジション用凸部１０１と、フォーカス操作用凸部１０２との位置関係に応じてフォーカスレンズの移動方向を異ならせるようにしたので、ユーザーは、例えばレンズを移動させる側の凸部を触ることにより、直感的にフォーカス操作を行える。
【００４５】
（７）上記（５）または（６）の電子カメラ１において、タッチパッド２０ａの表面に設けられ、ホームポジション用凸部１０１を挟む２つの位置にそれぞれ設けられたズーム操作用凸部１０３をさらに備え、レンズ駆動部２１は、ズーム操作用凸部１０３が接触された場合にズームレンズを移動させるので、ユーザーは、指先の感触をたよりに、タッチパッド２０ａを見ないで行う接触操作によって、ズームレンズ駆動をさせることができる。
【００４６】
（８）上記（７）の電子カメラ１において、レンズ駆動部２１は、ホームポジション用凸部１０１と、ズーム操作用凸部１０３との位置関係に応じてズームレンズの移動方向を異ならせるようにしたので、ユーザーは、例えばレンズを移動させる側の凸部を触ることにより、直感的にズーム操作を行える。
【００４７】
（９）上記電子カメラ１において、ホームポジション用凸部１０１は、他の凸部１０２、１０３との間で高さ、表面粗さ、および凸形状の角度の少なくとも１つが異なるようにしたので、ユーザーは、指先の感触をたよりに、タッチパッド２０ａを見ないで行う接触操作によって、適切にレンズ駆動をさせることができる。
【００４８】
（１０）上記電子カメラ１において、ＣＰＵ１７がレンズ駆動部２１によるレンズ駆動を許可している間に操作ガイド１０５を表示する液晶モニタ１６をさらに備えるようにしたので、ユーザーに対し、どのように接触すればよいかを知らせることができる。
【００４９】
（変形例１）
上述した実施形態では、タッチパッド２０ａにホームポジション用凸部１０１、フォーカス操作用凸部１０２およびズーム操作用凸部１０３をそれぞれ設ける例を説明したが、ホームポジション用凸部１０１を構成するだけで、フォーカス操作用凸部１０２およびズーム操作用凸部１０３を設けなくてもよい。変形例１のＣＰＵ１７は、ホームポジション用凸部１０１に対して相対的に光軸Ａｘ方向に位置する部位が接触された場合をズーム操作と判断し、ホームポジション用凸部１０１に対して相対的に鏡胴の円周方向に位置する部位が接触された場合をフォーカス操作と判断する。
【００５０】
（変形例２）
上記の説明では、タッチパッド２０ａ上の接触位置に基づいて、ズーム操作であるかフォーカス操作であるかを判断するようにした。この代わりに、あるいはこれに加えて、ホームポジション用凸部１０１を基準として接触された位置が相対的に移動する方向に基づいて、ズーム操作であるかフォーカス操作であるかを判断するようにしてもよい。変形例２のＣＰＵ１７は、ホームポジション用凸部１０１に対して相対的に光軸Ａｘ方向へなぞるように接触された場合をズーム操作と判断し、ホームポジション用凸部１０１に対して相対的に鏡胴の円周方向へなぞるように接触された場合をフォーカス操作と判断する。
【００５１】
（変形例３）
上述した実施形態では、撮影レンズ１１とカメラ本体１ａとを一体に構成したカメラを例に説明したが、レンズ交換可能なカメラシステムとして構成してもよい。この場合のタッチパッド２０ａは、交換レンズの鏡筒の一部に設けてもよいし、カメラ本体の一部に設けてもよい。タッチパッド２０ａをレンズ鏡筒に設ける場合は、ズーム操作やフォーカス操作の他に絞り操作を行う構成にしてもよい。タッチパッド２０ａをカメラ本体に設ける場合は、フラッシュ発光のオン／オフ操作やＩＳＯ感度の変更操作を行う構成にしてもよい。
【００５２】
（変形例４）
操作ガイド１０５の表示において、接触操作されている状態をリアルタイムに知らせるように、アイコンや図形の色を他のアイコンや図形の色と異ならせてもよい。ＣＰＵ１７は、例えば、操作ガイド１０５を緑色で表示した上で、タッチパッド２０ａに対する接触操作に基づいてズームレンズを望遠側へ移動させている場合には、操作ガイド１０５のうち「ズームＴ移動」に対応するアイコンまたは図形を赤色で表示する。同様に、タッチパッド２０ａに対する接触操作に基づいてフォーカスレンズを近傍の被写体にピントを合わせる向きに移動させている場合には、操作ガイド１０５のうち「フォーカス近距離移動」に対応するアイコンまたは図形を赤色で表示する。色を変えて表示する他にも、表示輝度を異ならせたり、点滅表示に切り替えることによって表示態様を異ならせてもよい。表示態様を異ならせることにより、ユーザーに対し、接触操作による動作の対象を知らせることができる。
【００５３】
（変形例５）
上述した説明では、操作ガイド１０５を液晶モニタ１６に表示する例を説明したが、電子ビューファインダー(EVF)に表示する構成にしてもよい。また、光学式ファインダーの像に重ねて表示するオーバービューファインダー(OVF)のインジケータ表示を切り替える方式で構成しても構わない。
【００５４】
（変形例６）
本実施形態では、フォーカスレンズの駆動速度やズームレンズの駆動速度を特に変化させなかったが、タッチパッド２０ａで検出された接触位置とホームポジションとの距離に応じてレンズの駆動速度を変化させるようにしてもよい。例えば、特許文献１（特開２００９−１６９２６６号公報）に記載される方法でレンズの駆動速度を可変にすることができる。
【００５５】
以上の説明はあくまで一例であり、上記の実施形態の構成に何ら限定されるものではない。
【符号の説明】
【００５６】
１…電子カメラ
１ａ…カメラ本体
１ｂ…鏡胴
１１…撮影レンズ
１２…撮像素子
１６…液晶モニタ
１７…ＣＰＵ
２０ａ…タッチパッド
２１…レンズ駆動部
１０１…ホームポジション用凸部
１０２…フォーカス操作用凸部
１０３…ズーム操作用凸部
１０５…操作ガイド
【図１】
2013145444.tif 000003
【図２】
2013145444.tif 000004
【図３】
2013145444.tif 000005
【図４】
2013145444.tif 000006